(57)【要約】【課題】大きさや間隔が異なっても端部パッドおよびＯＬＢパッド間の配線パターンを容易に作成できるパッド間の配線方法を提供する。【解決手段】端部パッド群の端部パッド間および両側に第１仮想パッドを配置する。ＯＬＢパッド群のＯＬＢパッド間および両側に第２仮想パッドを配置する。第１および第２仮想パッド間を斜め配線して仮想配線パターンで接続する。仮想配線パターン全体を覆う最大外形パターンから仮想配線パターンを引いて配線パターンとする。配線パターンを作成するための作業時間を短縮できる。【選択図】図１
2008021802.tif 000002
【特許請求の範囲】
【請求項１】
間隔を空けて並べられた複数の第１パッドを有する第１パッド群と、この第１パッド群に対応して対向して設けられ間隔を空けて並べられた複数の第２パッドを有する第２パッド群とを具備し、これら第１パッド群の第１パッドと第２パッド群の第２パッドとを配線するパッド間の配線方法であって、
前記第１パッド群の各第１パッドの間とこの第１パッド群の両側から所定の間隔を空けた位置とに第１仮想パッドをそれぞれ配置するとともに、前記第２パッド群の各第２パッドの間とこの第２パッド群の両側から所定の間隔を空けた位置とに前記第１仮想パッドに対応する第２仮想パッドをそれぞれ配置し、
対応する前記第１仮想パッドと前記第２仮想パッドとを１対１の関係で交差させることなく配線して仮想配線パターンを作成し、
この仮想配線パターン全体を覆う外形パターンを作成し、
この外形パターンから前記仮想配線パターンを除いた領域を作成して、前記第１パッド群の各第１パッドと前記第２パッド群の各第２パッドとを配線する配線パターンとする
ことを特徴とするパッド間の配線方法。
【請求項２】
第１仮想パッドは、第１パッド群の各第１パッド間の中間位置に配置され、
第２仮想パッドは、第２パッド群の各第２パッド間の中間位置に配置される
ことを特徴とする請求項１記載のパッド間の配線方法。
【請求項３】
第１パッド群および第２パッド群の両側に位置する第１仮想パッドと第２仮想パッドとを配線する仮想配線パターンより外側の部分の外形パターンを取り除く
ことを特徴とする請求項１または２記載のパッド間の配線方法。
【請求項４】
間隔を空けて並べられた複数の第１パッドを有する第１パッド群と、この第１パッド群に対応して対向して設けられ間隔を空けて並べられた複数の第２パッドを有する第２パッド群とを具備し、これら第１パッド群の第１パッドと第２パッド群の第２パッドとを配線するパッド間の配線プログラムであって、
前記第１パッド群の各第１パッドの間とこの第１パッド群の両側から所定の間隔を空けた位置とに第１仮想パッドをそれぞれ配置するとともに、前記第２パッド群の各第２パッドの間とこの第２パッド群の両側から所定の間隔を空けた位置とに前記第１仮想パッドに対応する第２仮想パッドをそれぞれ配置するステップと、
前記第１仮想パッドと前記第２仮想パッドとを１対１の関係で交差させることなく配線して仮想配線パターンを作成するステップと、
前記第１パッド群、第２パッド群、第１仮想パッド、第２仮想パッドおよび仮想配線パターンのそれぞれを含む最大外形パターンを作成するステップと、
この最大外形パターンから前記仮想配線パターンを除いた領域を作成して、前記第１パッド群の各第１パッドと前記第２パッド群の各第２パッドとを配線するパッド配線パターンとするステップと
を具備したことを特徴としたパッド間の配線プログラム。
【請求項５】
間隔を空けて並べられた複数の第１パッドを有する第１パッド群と、
この第１パッド群に対応して設けられ間隔を空けて並べられた複数の第２パッドを有する第２パッド群と、
これら第１パッド群の第１パッドの幅寸法および第２パッド群の第２パッドの幅寸法の少なくともいずれかより大きな幅寸法を有し、これら第１パッドと第２パッドとを１対１で交差させることなく電気的に接続させる配線パターンと
を具備したことを特徴とした配線装置。
【発明の詳細な説明】
【技術分野】
【０００１】
本発明は、複数の第１パッドと第２パッドとを配線するパッド間の配線方法、そのプログラムおよび配線装置に関する。
【背景技術】
【０００２】
従来、液晶表示装置は、アレイ基板と対向基板との間に液晶層が介挿されて構成されている。そして、このアレイ基板上には、走査線および信号線などの配線や、画素電極などの電極、薄膜トランジスタ(ＴＦＴ)などのスイッチング素子が設けられている。
【０００３】
特に、この種の液晶表示装置のうち、いわゆるアクティブマトリクス型の液晶ディスプレイの場合には、アレイ基板上に設けられている複数の画素内にスイッチング用の薄膜トランジスタや補助容量などが設けられており、走査線や信号線が複数の画素の外側でアレイ基板の外側に取り付けられる回路に接続されている。
【０００４】
さらに、アレイ基板上の画素間に配線されている走査線および信号線の配線ピッチは、液晶表示装置の解像度によって異なるが、このアレイ基板上の複数の画素の外側で接続する部分、例えばＯＬＢ(Outer Lead Bonding)パッドの配線ピッチは、走査線および信号線の配線ピッチと異なる場合が多い。
【０００５】
そこで、これら走査線および信号線とＯＬＢパッドとを１対１の関係で配線接続する場合には、これら走査線および信号線の端部に設けられているパッドとＯＬＢパッドとの間の距離を小さくするとともに、これらパッドとＯＬＢパッドとの間の配線抵抗を等しくするために、これらパッドとＯＬＢパッドとの間を接続する配線を交差させたり屈曲させたりする配線方法が知られている(例えば、特許文献１参照。)。
【特許文献１】特開２００４−１４７９８号公報
【発明の開示】
【発明が解決しようとする課題】
【０００６】
しかしながら、上述した配線方法では、パッドとＯＬＢパッドとの間を接続する配線を交差させたり屈曲させたりしているが、これらパッドやＯＬＢパッドの大きさや配置ピッチが異なる場合には、これらパッドとＯＬＢパッドとを１対１の関係で配線することが容易ではない。したがって、これらパッドとＯＬＢパッドとの配線パターンに対してＣＡＤシステムを用いて作成することが容易でなくなるから、これらパッドとＯＬＢパッドとの間の配線パターンを１本ずつ手作業で作成しなければならない。このため、これらパッドおよびＯＬＢパッドの大きさや配置ピッチが異なる場合に、これらパッドとＯＬＢパッドとの間の配線パターンの作成が容易ではないという問題を有している。
【０００７】
本発明は、このような点に鑑みなされたもので、パッドの大きさや間隔が異なる場合であっても、これらパッド間の配線パターンを容易に作成できるパッド間の配線方法、そのプログラムおよび配線装置を提供することを目的とする。
【課題を解決するための手段】
【０００８】
本発明は、間隔を空けて並べられた複数の第１パッドを有する第１パッド群と、この第１パッド群に対応して対向して設けられ間隔を空けて並べられた複数の第２パッドを有する第２パッド群とを具備し、これら第１パッド群の第１パッドと第２パッド群の第２パッドとを配線するパッド間の配線方法であって、前記第１パッド群の各第１パッドの間とこの第１パッド群の両側から所定の間隔を空けた位置とに第１仮想パッドをそれぞれ配置するとともに、前記第２パッド群の各第２パッドの間とこの第２パッド群の両側から所定の間隔を空けた位置とに前記第１仮想パッドに対応する第２仮想パッドをそれぞれ配置し、対応する前記第１仮想パッドと前記第２仮想パッドとを１対１の関係で交差させることなく配線して仮想配線パターンを作成し、この仮想配線パターン全体を覆う外形パターンを作成し、この外形パターンから前記仮想配線パターンを除いた領域を作成して、前記第１パッド群の各第１パッドと前記第２パッド群の各第２パッドとを配線する配線パターンとするものである。
【発明の効果】
【０００９】
本発明によれば、第１パッドおよび第２パッドの両側および間に配置した第１仮想パッドと第２仮想パッドとを配線する仮想配線パターンを作成し、この仮想配線パターン全体を覆う外形パターンから仮想配線パターンを除いた領域を配線パターンとすることにより、これら第１パッドおよび第２パッドの大きさや間隔が異なる場合であっても、これら第１パッドと第２パッドとの間の配線パターンを容易に作成できる。
【発明を実施するための最良の形態】
【００１０】
以下、本発明のパッド間の配線方法の一実施の形態を図１ないし図８を参照して説明する。
【００１１】
まず、図７に示す最終的なアレイ基板の配線パターン１について説明する。この配線パターン１は、図示しないアレイ基板と対向基板との間に液晶層が介挿されて構成された液晶表示装置のアレイ基板上に設けられている。このアレイ基板は、配線装置としての液晶表示装置用の基板であって、透光性を有する絶縁基板である図示しないガラス基板を備えている。このガラス基板上には、画像表示が可能となる領域である平面視矩形状の画素形成領域が設けられている。この画素形成領域には、図示しない複数の走査線や信号線が交差して格子状に配線されており、これら走査線および信号線にて囲まれた領域のそれぞれに画素が設けられている。
【００１２】
そして、アレイ基板のガラス基板上の画素形成領域の外側には、第１パッド群としての端部パッド群２が設けられている。この端部パッド群２は、ガラス基板上に配線された走査線または信号線の端部に電気的かつ機械的に一体的に接続され導電性を有する金属層にて構成された第１パッドとしての複数の端部パッド３にて構成されている。これら端部パッド３は、大きさや配置ピッチである間隔が異なっており、ガラス基板上の画素形成領域の一側に沿って直線状に並べられて設けられている。
【００１３】
具体的に、これら端部パッド３は、例えば第１端部パッド3a、第２端部パッド3b、第３端部パッド3c、第４端部パッド3d、第５端部パッド3eおよび第６端部パッド3fの計６個にて構成されている。これら第１ないし第６端部パッド3a、3b、…、3fのそれぞれは、互いに等しい長さ寸法を有する平面視矩形状に形成されている。さらに、第１端部パッド3aは、第３端部パッド3cの幅寸法のほぼ２倍程度の幅寸法を有している。
【００１４】
また、第２および第４ないし第６端部パッド3b、3d、3fのそれぞれは、第３端部パッド3cの幅寸法の約８分の１程度の幅寸法を有している。したがって、これら第２および第４ないし第６端部パッド3b、3d、3fのそれぞれは、長さ寸法より幅さ寸法が小さな細長矩形状に形成されている。また、第１および第３端部パッド3a、3cは、長さ寸法より幅さ寸法が大きな細長矩形状に形成されている。
【００１５】
そして、図２に示すように、第１端部パッド3aと第２端部パッド3bとの間、この第２端部パッド3bと第３端部パッド3cとの間、第４端部パッド3dと第５端部パッド3eとの間、および、この第５端部パッド3eと第６端部パッド3fとの間のそれぞれは、等しい間隔寸法に形成されていることから、パッドピッチとしての配置ピッチＡが等しく構成されている。  また、第３端部パッド3cと第４端部パッド3dとの間は、第１端部パッド3aと第２端部パッド3bとの間の配置ピッチＡの約２倍程度の間隔寸法である配置ピッチＢに形成されている。
【００１６】
さらに、図２に示すように、端部パッド群２に対向して所定の間隔Ｃを介して第２パッド群としてのＯＬＢ(Outer Lead Bonding)パッド群４が設けられている。このＯＬＢパッド群４は、ガラス基板上の端部パッド群２より外側の位置であって、この端部パッド群２から所定の間隔Ｃを介して平行に配置されている。そして、このＯＬＢパッド群４は、端部パッド群２の各端部パッド３に１対１の関係で対応して設けられた第２パッドとしての複数のＯＬＢパッド５にて構成されている。これらＯＬＢパッド５は、端部パッド群２の各端部パッド３と同数設けられており、これら端部パッド３が並ぶ方向に沿って、これら端部パッド３間の配置ピッチＡ、Ｂより小さな配置ピッチＤを介して並べられて設けられている。
【００１７】
具体的に、これらＯＬＢパッド５は、例えば第１ＯＬＢパッド5a、第２ＯＬＢパッド5b、第３ＯＬＢパッド5c、第４ＯＬＢパッド5d、第５ＯＬＢパッド5eおよび第６ＯＬＢパッド5fの計６個にて構成されている。これら第１ないし第６ＯＬＢパッド5a、5b、…、5fのそれぞれは、端部パッド群２の各端部パッド３の長さ寸法に等しい長さ寸法を有する平面視矩形状に形成されている。
【００１８】
さらに、第１、第２および第４ＯＬＢパッド5a、5b、5eは、端部パッド群２の第２および第４ないし第６端部パッド3b、3d、3e、3fのそれぞれの幅寸法に等しい幅寸法を有している。また、第３および第６ＯＬＢパッド5c、5fは、第１ＯＬＢパッド5aの幅寸法の約４倍程度の幅寸法を有しており、第５ＯＬＢパッド5eは、第３および第６ＯＬＢパッド5c、5fの幅寸法の約２倍程度の幅寸法を有している。
【００１９】
したがって、第１、第２および第４ＯＬＢパッド5a、5b、5dのそれぞれは、長さ寸法より幅寸法が小さな細長矩形状に形成されている。また、第３、第５および第６ＯＬＢパッド5c、5e、5fは、長さ寸法より幅寸法が大きな細長矩形状に形成されている。そして、これら第１ないし第６ＯＬＢパッド5a、5b、…、5fそれぞれの間は等しい間隔寸法に形成され、これら第１ないし第６ＯＬＢパッド5a、5b、…、5f間のパッドピッチである配置ピッチＤが等しく構成されている。
【００２０】
さらに、図８に示すように、端部パッド群２の各端部パッド３とＯＬＢパッド群４の各ＯＬＢパッド５とは、これら端部パッド３およびＯＬＢパッド５の幅寸法より大きな幅寸法を有する配線部としての配線パターン１によって１対１の関係で交差させることなく電気的かつ機械的に接続されている。さらに、この配線パターン１は、幅寸法が小さ過ぎず抵抗値が大きくなり過ぎない程度の幅寸法に形成されている。
【００２１】
ここで、この配線パターン１は、第１端部パッド3aと第１ＯＬＢパッド5aとを配線する第１配線パターン1aと、第２端部パッド3bと第２ＯＬＢパッド5bとを配線する第２配線パターン1bと、第３端部パッド3cと第３ＯＬＢパッド5cとを配線する第３配線パターン1cと、第４端部パッド3dと第４ＯＬＢパッド5dとを配線する第４配線パターン1dと、第５端部パッド3eと第５ＯＬＢパッド5eとを配線する第５配線パターン1eと、第６端部パッド3fと第６ＯＬＢパッド5fとを配線する第６配線パターン1fとで構成されている。
【００２２】
そして、これら第１ないし第６配線パターン1a、1b、…、1fは、互いに所定の間隔Ｅを介して設けられ、互いに電気的に絶縁されて構成されている。また、これら第１ないし第６配線パターン1a、1b、…、1f間の間隔Ｅは、幅寸法が等しく形成されて平行に設けられている。さらに、これら第１ないし第６配線パターン1a、1b、…、1fそれぞれの幅方向に沿った両側縁は、これら第１ないし第６配線パターン1a、1b、…、1fの幅方向の両側縁が対向して位置する端部パッド群２の各端部パッド３あるいはＯＬＢパッド群４の各ＯＬＢパッド５より大きな長さ寸法を有している。さらに、これら第１ないし第６配線パターン1a、1b、…、1fそれぞれの幅方向に沿った両側縁の中心位置には、端部パッド群２の各端部パッド３あるいはＯＬＢパッド群４の各ＯＬＢパッド５の両側縁の中心位置を一致させた状態で接続されている。
【００２３】
具体的に、第１配線パターン1aは、第１端部パッド3aに接続されている側である一端側が、この第１端部パッド3aの幅寸法より大きな幅寸法に形成されている。そして、この第１配線パターン1aの一端側の幅方向の中央部に、第１端部パッド3aの外側縁が電気的かつ機械的に接続されている。同様に、この第１配線パターン1aは、第１ＯＬＢパッド5aに接続されている側である他端側が、この第１ＯＬＢパッド5aの幅寸法より大きな幅寸法に形成されている。そして、この第１配線パターン1aの他端側の幅方向の中央部に、第１ＯＬＢパッド5aの外側縁が電気的かつ機械的に接続されている。
【００２４】
また、この第１配線パターン1aの外側に位置する一側縁には、第１端部パッド3a側の一端側から第１ＯＬＢパッド5a側に向けて幅狭となるように直線状に傾斜した外斜片部11が設けられている。この外斜片部11は、第１ＯＬＢパッド5aの幅方向の一側縁から、この幅方向に沿って所定距離Ｆほど離れた位置までに亘って設けられている。そして、この外斜片部11の第１ＯＬＢパッド5a側には、第１配線パターン1aの他端側の外側縁に向けて、第１配線パターン1aの長さ方向に沿った外直片部12が設けられている。また、この第１配線パターン1aの第２配線パターン1b側である内側に位置する他側縁には、第１端部パッド3a側から第１ＯＬＢパッド5a側に向かう長手方向に沿った内直片部13が設けられている。
【００２５】
さらに、第２配線パターン1bの第１配線パターン1a側である外側に位置する一側縁には、この第１配線パターン1aの内側片部13に対して所定の間隔Ｅを介して平行に設けられた外直片部14が設けられている。この外直片部14は、第２端部パッド3b側から第２ＯＬＢパッド5b側に向かう長手方向に沿って設けられている。また、この第２配線パターン1bの第３配線パターン1c側である内側に位置する他側縁には、この第２配線パターン1bの第２端部パッド3b側の一端側から第２ＯＬＢパッド5bの一端側に向けて幅狭となるように直線状に傾斜した内斜片部15が設けられている。この内斜片部15は、第２ＯＬＢパッド5bの幅方向の他側縁から、この幅方向に沿って所定距離Ｆほど離れた位置までに亘って設けられている。そして、この内斜片部15の第２ＯＬＢパッド5b側には、第２配線パターン1bの他端側の外側縁に向けて、この第２配線パターン1bの長さ方向に沿った内直片部16が設けられている。
【００２６】
また、第３配線パターン1cの第２配線パターン1b側である外側に位置する一側縁には、この第２配線パターン1bの内斜片部15に対して所定の間隔Ｅを介して平行に設けられた外斜片部17が設けられている。この外斜片部17は、第３配線パターン1cの第３端部パッド3c側の一端側から第３ＯＬＢパッド5cの一端側に向けて直線状に傾斜しており、この第３ＯＬＢパッド5cの幅方向の一側縁から、この幅方向に沿って所定距離Ｆほど離れた位置までに亘って設けられている。また、この外斜片部17の第３ＯＬＢパッド5c側には、第３配線パターン1cの一端側の外側縁に向けて、この第３配線パターン1cの長さ方向に沿った外直片部18が設けられている。
【００２７】
さらに、第３配線パターン1cの第４配線パターン1d側である内側に位置する他側縁には、この第３配線パターン1cの外斜片部17に対して平行で、この第３配線パターン1cの第３端部パッド3cの他端側から第３ＯＬＢパッド5cの他端側に向けて直線状に傾斜した内斜片部19が設けられている。この内斜片部19は、第３ＯＬＢパッド5cの幅方向の他側縁から、この幅方向に沿って所定距離Ｆほど離れた位置までに亘って設けられている。さらに、この内斜片部19の第３ＯＬＢパッド5c側には、第３配線パターン1cの他端側の外側縁に向けて、この第３配線パターン1cの長さ方向に沿った内直片部20が設けられている。
【００２８】
また、第４配線パターン1dの第３配線パターン1c側である内側に位置する一側縁には、この第３配線パターン1cの内斜片部19に対して所定の間隔Ｅを介して平行に設けられた内斜片部21が設けられている。この内斜片部21は、第４配線パターン1dの第４端部パッド3dの一端側から第４ＯＬＢパッド5dの一端側に向けて直線状に傾斜しており、この第４ＯＬＢパッド5dの幅方向の一側縁から、この幅方向に沿って所定距離Ｆほど離れた位置までに亘って設けられている。また、この内斜片部21の第４ＯＬＢパッド5d側には、第４配線パターン1dの一端側の内側縁に向けて、この第４配線パターン1dの長さ方向に沿った内直片部22が設けられている。
【００２９】
さらに、第４配線パターン1dの第５配線パターン1e側である外側に位置する他側縁には、この第４配線パターン1dの内斜片部21に対して平行で、この第４配線パターン1dの第４端部パッド3dの他端側から第４ＯＬＢパッド5dの他端側に向けて直線状に傾斜した外斜片部23が設けられている。この外斜片部23は、第４ＯＬＢパッド5dの幅方向の他側縁から、この幅方向に沿って所定距離Ｆほど離れた位置までであって、第４配線パターン1dの他側縁までに亘って設けられている。
【００３０】
また、第５配線パターン1eの第４配線パターン1d側である内側に位置する一側縁には、この第４配線パターン1dの外斜片部23に対して所定の間隔Ｅを介して平行に設けられた内斜片部24が設けられている。この内斜片部24は、第５配線パターン1eの第５端部パッド5eの一端側から第５ＯＬＢパッド5eの一端側に向けて直線状に傾斜して設けられている。また、この内斜片部24は、第５ＯＬＢパッド5eの幅方向の一端縁から、この幅方向に沿って所定距離Ｆほど離れた位置まで、すなわち第５配線パターン1eの一側縁までに亘って設けられている。
【００３１】
さらに、この第５配線パターン1eの第６配線パターン1f側である外側に位置する一側縁には、この第５配線パターン1eの第５端部パッド3eの他端側から第５ＯＬＢパッド5eの他端側に向けて徐々に幅広となるように直線状に傾斜した外斜片部25が設けられている。この外斜片部25は、第５ＯＬＢパッド5eの幅方向の他端縁から、この幅方向に沿って所定距離Ｆほど離れた位置まで、すなわち第５配線パターン1eの他側縁までに亘って設けられている。
【００３２】
また、第６配線パターン1fの第５配線パターン1e側である内側に位置する一側縁には、この第５配線パターン1eの外斜片部25に対して所定の間隔Ｅを介して平行に設けられた内斜片部26が設けられている。この内斜片部26は、第６配線パターン1fの第６端部パッド3f側の一端側から第６ＯＬＢパッド5f側の一端側に向けて直線状に傾斜して設けられている。また、この内斜片部26は、第６ＯＬＢパッド5fの幅方向の一端縁から、この幅方向に沿って所定距離Ｆほど離れた位置まで、すなわち第６配線パターン1fの一側縁までに亘って設けられている。
【００３３】
さらに、第６配線パターン1fの外側に位置する他側縁には、この第６配線パターン1fの内斜片部26に対して平行な外斜片部27が設けられている。この外斜片部27は、第６配線パターン1fの第６端部パッド3f側の他端側から第６ＯＬＢパッド5f側の他端側に向けて直線状に傾斜して設けられている。また、この外斜片部27は、第６ＯＬＢパッド5fの幅方向の他端縁から、この幅方向に沿って所定距離Ｆほど離れた位置まで、すなわち第６配線パターン1fの他端縁までに亘って設けられている。
【００３４】
次に、上記一実施の形態のパッド間の配線方法について図１を参照して説明する。
【００３５】
まず、このパッド間の配線方法は、図示しないＣＡＤ(Computer-aided design:コンピュータ援用設計)レイアウト上に配置された同じパッド数の端部パッド群２の各端部パッド３とＯＬＢパッド群４の各ＯＬＢパッド５とを１対１の関係で交差させることなく１本の配線で接続する配線方法である。
【００３６】
具体的に、このパッド間の配線方法は、図２に示す端部パッド群２の各端部パッド３の間の２分の１の位置である中間位置と、これら端部パッド３の両端に位置する第１端部パッド3aおよび第６端部パッド3fのそれぞれから外側に向けて、第１端部パッド3aと第２端部パッド3bとの間の中間位置までの距離Ｇほどの間隔を空けた位置とのそれぞれに、図３に示すように、第１仮想パッド30を配置する。
【００３７】
このとき、この第１仮想パッド30と第１端部パッド3aあるいは第６端部パッド3fとの間の距離Ｇは、これら第１仮想パッド30と第１端部パッド3aあるいは第６端部パッド3fとの間に絶縁破壊が生じない距離以上であって、これら第１ないし第６端部パッド3a、3b、…、3f間の間隔である配置ピッチＡ、Ｂより狭い距離とする。
【００３８】
同時に、ＯＬＢパッド群４の各ＯＬＢパッド５の間の２分の１の位置である中間位置と、これらＯＬＢパッド５の両端に位置する第１ＯＬＢパッド5aおよび第６ＯＬＢパッド5fのそれぞれから外側に向けて、第１ＯＬＢパッド5aと第２ＯＬＢパッド5bとの間の中間位置までの距離Ｈほど間隔を空けた位置とのそれぞれに、第１仮想パッド30に対応した第２仮想パッド31を配置する(ステップ１)。
【００３９】
このとき、この第２仮想パッド31と第１ＯＬＢパッド5aあるいは第６ＯＬＢパッド5fとの間の距離Ｈは、これら第２仮想パッド31と第１ＯＬＢパッド5aあるいは第６ＯＬＢパッド5fとの間に絶縁破壊が生じない距離以上であって、これら第１ないし第６ＯＬＢパッド5a、5b、…、5f間の間隔である配置ピッチＤより狭い距離とする。
【００４０】
さらに、これら第１および第２仮想パッド30、31のそれぞれを、各端部パッド３およびＯＬＢパッド５の長さ寸法に略等しい長さ寸法を有し、第２端部パッド3bの幅寸法より小さな幅寸法を有する平面視細長矩形状とするとともに、これら端部パッド３およびＯＬＢパッド５とは別のレイヤで形成する。
【００４１】
この後、図４に示すように、これら対応する第１仮想パッド30と第２仮想パッド31とを、１対１の関係で交差させることなく斜め配線32して接続させる(ステップ２)。
【００４２】
このとき、これら斜め配線32を第１および第２仮想パッド30、31のそれぞれと同じレイヤとする。
【００４３】
そして、これら斜め配線32のうち、第１端部パッド3aの外側に設けた第１仮想パッド30と第１ＯＬＢパッド5aの外側に設けた第２仮想パッド31とを接続する第１斜め配線33を、この第１仮想パッド30から第２仮想パッド31の長手方向に沿った仮想線L1に交差するまでが、この第２仮想パッド31に向けて約４５゜の角度に傾斜した直線状に形成され、この仮想線L1に交差した位置から第２仮想パッド31までが、このＯＬＢパッド５の長手方向に沿った直線状に形成された折れ線形状とする。
【００４４】
また、第１および第２端部パッド3a、3b間の第１仮想パッド30と、第１および第２ＯＬＢパッド5a、5b間の第２仮想パッド31とを接続する第２斜め配線34を、第１仮想パッド30から第２仮想パッド31までが、これら第１および第２仮想パッド30、31の長手方向に沿った直線状に形成された直線形状とする。
【００４５】
さらに、第２および第３端部パッド3b、3c間の第１仮想パッド30と、第２および第３ＯＬＢパッド5b、5c間の第２仮想パッド31とを接続する第３斜め配線35を、第１仮想パッド30から第２仮想パッド31の長手方向に沿った仮想線L2に交差するまでが、この第２仮想パッド31に向けて約４５゜の角度に傾斜した直線状に形成され、この仮想線L2に交差した位置から第２仮想パッド31までが、このＯＬＢパッド５の長手方向に沿った直線状に形成された折れ線形状とする。
【００４６】
また、第３および第４端部パッド3c、3d間の第１仮想パッド30と、第３および第４ＯＬＢパッド5c、5d間の第２仮想パッド31とを接続する第４斜め配線36を、第１仮想パッド30から第２仮想パッド31の長手方向に沿った仮想線L3に交差するまでが、この第２仮想パッド31に向けて約４５゜の角度に傾斜した直線状に形成され、この仮想線L3に交差した位置から第２仮想パッド31までが、このＯＬＢパッド５の長手方向に沿った直線状に形成された折れ線形状とする。
【００４７】
さらに、第４および第５端部パッド3d、3e間の第１仮想パッド30と、第４および第５ＯＬＢパッド5d、5e間の第２仮想パッド31とを接続する第５斜め配線37を、第１仮想パッド30から第２仮想パッド31までが、この第２仮想パッド31に向けて約４５゜の角度に傾斜した直線状に形成された直線形状とする。
【００４８】
また、第５および第６端部パッド3e、3f間の第１仮想パッド30と、第５および第６ＯＬＢパッド5e、5f間の第２仮想パッド31とを接続する第６斜め配線38を、第１仮想パッド30から第２仮想パッド31までが、この第２仮想パッド31に向けて傾斜した直線状に形成された直線形状とする。
【００４９】
さらに、第６端部パッド3fの外側に設けた第１仮想パッド30と、第６ＯＬＢパッド5fの外側に設けた第２仮想パッド31とを接続する第７斜め配線39を、第１仮想パッド30から第２仮想パッド31までが、この第２仮想パッド31に向けて第６斜め配線38に沿って傾斜した直線状に形成された直線形状とする。
【００５０】
次いで、図５に示すように、これら第１ないし第７斜め配線33、34、…、39のそれぞれの線幅が端部パッド３およびＯＬＢパッド５と、第１および第２仮想パッド30、31との間の最小間隔以上となるように、これら第１ないし第７斜め配線33、34、…、39それぞれの線幅を広げて仮想配線パターン41を別レイヤで形成する(ステップ３)。
【００５１】
このとき、これら第１ないし第７斜め配線33、34、…、39それぞれの線幅としての幅寸法を、各第１および第２仮想パッド30、31の長さ寸法以上であるとともに、各端部パッド３間の配置ピッチＡ、ＢおよびＯＬＢパッド５間の配置ピッチＤのうちの最も小さな間隙より小さくする。
【００５２】
この後、図６に示すように、これら仮想配線パターン41全体を覆い、第１および第２仮想パッド30、31の長さ方向および幅方向に沿った矩形状の領域を描画して最大外形パターン42を別のレイヤで作成する(ステップ４)。
【００５３】
このとき、この最大外形パターン42は、端部パッド群２の各端部パッド３のＯＬＢパッド群４に対向する側の一側縁から、このＯＬＢパッド群４の各ＯＬＢパッド５それぞれの端部パッド群２に対向する側の一側縁までを含み、仮想配線パターン41の第１斜め配線33の端部パッド群２側の端部から、第７斜め配線39の端部パッド群２側の端部までを含む平面視細長矩形状の領域である。
【００５４】
次いで、この最大外形パターン42と仮想配線パターン41との差を図形演算、例えばＡＮＤＮＯＴ演算して、図７に示すように、この最大外形パターン42から仮想配線パターン41を引いた配線レイヤパターンである反転パターン43を作成する(ステップ５)。
【００５５】
この後、図８に示すように、この反転パターン43のうち、端部パッド群２およびＯＬＢパッド群４のいずれにも接続されていない両端部の不要なパターンを削除する加工をして配線パターン１を作成する(ステップ６)。
【００５６】
このステップ６では、端部パッド群２およびＯＬＢパッド群４それぞれの両側に位置する第１仮想パッド30と第２仮想パッド31とを配線する第１斜め配線33および第７斜め配線39より外側の部分の反転パターン43を取り除く。
【００５７】
さらに、この配線パターン１上から第１および第２仮想パッド30、31と仮想配線パターン41とのそれぞれを削除する加工をして、これら端部パッド群２の各端部パッド３とＯＬＢパッド群４の各ＯＬＢパッド５とを１対１の関係で交差させることなく電気的かつ機械的に接続させて配線する実パッド配線パターンである配線パターン１を完成させる。
【００５８】
ここで、この配線パターン１は、配線用の導電性を有する金属パターンであるから、この配線パターン１がショートなどして不良が発生する場合がある。そこで、この配線パターン１の不良を防止することを目的として、この配線パターン１とは別レイヤの成膜に用いるマスクなどを利用して、この配線パターン１を再び２回目のエッチングにてパターニングすることも可能である。この場合、この配線パターン１間に不要な不純物ドーピング用の穴を開け、この穴にて１回目のエッチング時に残ったパターンを確実に除去する。
【００５９】
具体的に、図９に示すように、この配線パターン１の配線不良を防止するために、第１および第２仮想パッド30、31と仮想配線パターン41とを含んだパターンを、イオンドーピング時などに用いる２回目のエッチング用のマスクパターン44としてそのまま用いることができる。この場合、このマスクパターン44のパターンの幅寸法を、配線パターン１のうちの最も幅寸法が小さい部分より大きく仮想配線パターン41の幅寸法より小さくする。
【００６０】
したがって、上記一実施の形態のように、端部パッド群２の各端部パッド３間および両側のそれぞれに第１仮想パッド30を配置するとともに、ＯＬＢパッド群４の各ＯＬＢパッド５間および両側とのそれぞれに第２仮想パッド31を配置し、これら第１および第２仮想パッド30、31間を斜め配線32して仮想配線パターン41にて接続し、この仮想配線パターン41全体を覆う最大外形パターン42から仮想配線パターン41を引く図形演算をすることによって、これら端部パッド群２の各端部パッド３とＯＬＢパッド群４の各ＯＬＢパッド５とを交差させることなく１対１の関係で確実に配線する配線パターン１を作成できる。
【００６１】
この結果、これら端部パッド群２の端部パッド３やＯＬＢパッド群４のＯＬＢパッド５の長さ寸法や配置ピッチＡ、Ｂ、Ｄが異なる場合であっても、これら端部パッド群２の端部パッド３やＯＬＢパッド群４のＯＬＢパッド５の長さ寸法や配置ピッチＡ、Ｂ、Ｄが同じ場合と同様に、これら端部パッド３とＯＬＢパッド５とを交差させることなく１対１の関係で配線する配線パターン１を容易に作成できる。
【００６２】
具体的に、これら端部パッド群２の端部パッド３とＯＬＢパッド群４のＯＬＢパッド５とを手作業で交差させることなく１対１の関係で配線して配線パターン１を作成する場合に比べ、約１０分の１程度の作業時間で、この配線パターン１を確実に作成できる。また、これら端部パッド群２の端部パッド３やＯＬＢパッド群４のＯＬＢパッド５の長さ寸法や配置ピッチＡ、Ｂ、Ｄが同じ場合とほぼ変わらない作業時間で、これら端部パッド３とＯＬＢパッド５とを交差させることなく１対１の関係で配線する配線パターン１を作成できる。したがって、この配線パターン１を作成するための作業時間を大幅に短縮できる。
【００６３】
また、端部パッド群２の各端部パッド３それぞれの中間位置に第１仮想パッド30を配置し、ＯＬＢパッド群４の各ＯＬＢパッド５それぞれの中間位置に第２仮想パッド31を配置させた。この結果、これら第１仮想パッド30と第２仮想パッド31とを配線した仮想配線パターン41が境界線となる第１ないし第６配線パターン1a、1b、…、1fそれぞれの線幅を均等にできるので、これら第１ないし第６配線パターン1a、1b、…、1fによる端部パッド群２の各端部パッド３とＯＬＢパッド群４の各ＯＬＢパッド５との接続をより確実にできる。
【００６４】
さらに、端部パッド群２およびＯＬＢパッド群４それぞれの両側に位置する第１仮想パッド30と第２仮想パッド31とを配線する第１斜め配線33および第７斜め配線39より外側の部分の反転パターン43を削除する構成とした。この結果、反転パターン43のうちの端部パッド群２およびＯＬＢパッド群４のいずれにも接続されていない不要なパターンが削除されるので、この不要なパターンによる端部パッド群２およびＯＬＢパッド群４間のリークなどを確実に防止できるとともに、配線パターン１を形成するために必要なガラス基板上の領域をより狭くできるので、このガラス基板上に他の回路素子を実装するためのスペースを確保できる。
【００６５】
また、端部パッド群２の各端部パッド３とＯＬＢパッド群４の各ＯＬＢパッド５とを接続する第１ないし第６配線パターン1a、1b、…、1fのそれぞれの線幅を、これら第１ないし第６配線パターン1a、1b、…、1fの端部が接続される端部パッド３およびＯＬＢパッド５長さ寸法より大きくする構成とした。この結果、これら端部パッド３と各ＯＬＢパッド５とを配線パターン１にてより確実に電気的に接続させて配線できるとともに、この配線パターン１の第１ないし第６配線パターン1a、1b、…、1fそれぞれの抵抗値を小さくできる。
【００６６】
なお、上記一実施の形態では、ＣＡＤレイアウト上で液晶表示装置のアレイ基板上の端部パッド群２とＯＬＢパッド群４とを接続するパッド間の配線パターン１の配線方法としたが、これら端部パッド群２およびＯＬＢパッド群４以外のパッド間の配線方法であっても対応させて用いることができる。
【００６７】
さらに、上記一実施の形態のパッド間の配線方法の動作をコンピュータに読み取り可能なパッド間の配線力プログラムとしたり、計算機にて自動的に計算できるパッド間の配線用のＣＡＤソフトウエアとしたりすることもできる。また、これらパッド間の配線プログラムやＣＡＤソフトウエアを記録した光ディスクあるいは磁気ディスクその他の記録媒体に収容し、この記録媒体を計算機に自動的に動作させるために用いることができる。
【図面の簡単な説明】
【００６８】
【図１】本発明のパッド間の配線方法の一実施の形態を示すフローチャートである。
【図２】同上パッド間の配線方法にて配線する第１および第２パッド群を示す平面図である。
【図３】同上パッド間の配線方法にて第１および第２仮想パッドを配置した状態を示す平面図である。
【図４】同上パッド間の配線方法にて第１および第２仮想パッド間を斜め配線した状態を示す平面図である。
【図５】同上パッド間の配線方法にて仮想配線パターンを作成した状態を示す平面図である。
【図６】同上パッド間の配線方法にて外形パターンを作成した状態を示す平面図である。
【図７】同上パッド間の配線方法にて外形パターンから仮想配線パターンを引いた領域を示す平面図である。
【図８】同上パッド間の配線方法にて配線パターンを配線した状態を示す平面図である。
【図９】同上パッド間の配線方法にて作成した仮想配線パターンをエッチング用のマスクパターンとする状態を示す平面図である。
【符号の説明】
【００６９】
１    配線パターン
２    第１パッド群としての端部パッド群
３    第１パッドとしての端部パッド
４    第２パッド群としてのＯＬＢパッド群
５    第２パッドとしてのＯＬＢパッド
30    第１仮想パッド
31    第２仮想パッド
41    仮想配線パターン
42    外形パターンとしての最大外形パターン
【図１】
2008021802.tif 000003
【図２】
2008021802.tif 000004
【図３】
2008021802.tif 000005
【図４】
2008021802.tif 000006
【図５】
2008021802.tif 000007
【図６】
2008021802.tif 000008
【図７】
2008021802.tif 000009
【図８】
2008021802.tif 000010
【図９】
2008021802.tif 000011